(57)【要約】【課題】電子レンチを提供する。【解決手段】ワークヘッドを含む本体と、本体に設けられ、ワークヘッドの作動状態を感知し、少なくとも１つの感知情報値を含む感知信号を発生させるための少なくとも１つの感知素子と、感知素子に電気的に接続され、且つ少なくとも１つのプロンプト下限値を含むプロセッサと、プロセッサに電気的に接続され、且つ少なくとも１つの作動状態プロンプトを発生させることに用いられ、感知情報値がプロンプト下限値以下である場合、作動状態プロンプトは非数値プロンプトである少なくとも１つのプロンプトユニットと、を備える電子レンチ。これにより、正確度の保証されない区間での電子レンチの作業時の作動状態をユーザに指示する。【選択図】図１
2020082343.tif 000002
【特許請求の範囲】
【請求項１】
ワークヘッドを含む本体と、
前記本体に設けられ、前記ワークヘッドの作動状態を感知し、少なくとも１つの感知情報値を含む感知信号を発生させるための少なくとも１つの感知素子と、
前記感知素子に電気的に接続され、且つ少なくとも１つのプロンプト下限値を含むプロセッサと、
前記プロセッサに電気的に接続され、且つ少なくとも１つの作動状態プロンプトを発生させることに用いられ、前記感知情報値が前記プロンプト下限値以下である場合、前記作動状態プロンプトは非数値プロンプトである少なくとも１つのプロンプトユニットと、
を備える電子レンチ。
【請求項２】
前記プロセッサは、作業動作値を更に含み、前記プロンプト下限値は前記作業動作値の２０％以下である請求項１に記載の電子レンチ。
【請求項３】
前記プロセッサは、少なくとも１つのプロンプト上限値を更に含み、前記感知情報値が前記プロンプト下限値よりも大きく且つ前記プロンプト上限値よりも小さい場合、前記作動状態プロンプトは数値プロンプト又は別の非数値プロンプトであるが、前記感知情報値が前記プロンプト上限値以上である場合、前記作動状態プロンプトは別の数値プロンプト又は別の非数値プロンプトである請求項１に記載の電子レンチ。
【請求項４】
前記プロンプト上限値及び前記プロンプト下限値は、ユーザによって設定可能である請求項３に記載の電子レンチ。
【請求項５】
電子レンチのワークヘッドをワークに操作する工程と、
少なくとも１つの感知素子によって前記ワークヘッドの作動状態を感知し、少なくとも１つの感知情報値を含む感知信号を発生させる工程と、
前記感知情報値とプロンプト下限値とを比較し、前記感知情報値が前記プロンプト下限値以下である場合、非数値プロンプトである作動状態プロンプトを提供する工程と、
を備える電子レンチのプロンプト方法。
【請求項６】
作業動作値を提供する工程を更に備え、前記プロンプト下限値は前記作業動作値の２０％以下である請求項５に記載の電子レンチのプロンプト方法。
【請求項７】
前記感知情報値と少なくとも１つのプロンプト上限値とを比較し、前記感知情報値が前記プロンプト下限値よりも大きく且つ前記プロンプト上限値よりも小さい場合、前記作動状態プロンプトは数値プロンプト又は別の非数値プロンプトであるが、前記感知情報値が前記プロンプト上限値以上である場合、前記作動状態プロンプトは別の数値プロンプト又は別の非数値プロンプトである工程を更に備える請求項５に記載の電子レンチのプロンプト方法。
【請求項８】
前記プロンプト上限値及び前記プロンプト下限値は、ユーザによって設定可能である請求項７に記載の電子レンチのプロンプト方法。
【発明の詳細な説明】
【技術分野】
【０００１】
本発明は、電子レンチに関し、特に、正確度の保証されない区間での電子レンチの作業時の作動状態プロンプトを提供可能な電子レンチに関する。
【背景技術】
【０００２】
現在、市販の電子レンチは、ほとんどトルク及び角度の大きさを感知する機能を持ち、トルク又は角度の設定値を超えると警告を発することができる。しかしながら、法規の規定によると、電子レンチのディスプレイに表示される感知値と電子レンチの実際な作業値との誤差値が２％以下でなければ、電子レンチがトルクや角度の大きさ等の情報を数値で表示することができないため、ユーザは、電子レンチが正確度の保証されない区間で作業する場合、電子レンチに如何なるプロンプトや使用状況も提供されない状況で、動作状態を把握できなく、又は電子レンチが故障していると誤認してしまう。
【発明の概要】
【発明が解決しようとする課題】
【０００３】
これに鑑みて、電子レンチが正確度の保証されない区間で作業する場合、関連の法規規定に合致した上でも、ユーザに作動状態情報を提供可能な電子レンチの研究・開発、今後の業界動向である。
【課題を解決するための手段】
【０００４】
本発明に提供される電子レンチ及びそのプロンプト方法は、感知情報値がプロンプト下限値に達していない場合、ユーザが電子レンチの使用状態を判断できるように、非数値の作動状態プロンプトを提供する。
【０００５】
本発明の一構造態様の一実施形態によれば、ワークヘッドを含む本体と、本体に設けられ、ワークヘッドの作動状態を感知し、少なくとも１つの感知情報値を含む感知信号を発生させるための少なくとも１つの感知素子と、感知素子に電気的に接続され、且つ少なくとも１つのプロンプト下限値を含むプロセッサと、プロセッサに電気的に接続され、且つ少なくとも１つの作動状態プロンプトを発生させることに用いられ、感知情報値がプロンプト下限値以下である場合、作動状態プロンプトは非数値プロンプトである少なくとも１つのプロンプトユニットと、を備える電子レンチを提供する。これにより、ユーザは、作動状態プロンプトによって、ワークヘッドの作動状態を知ることができる。
【０００６】
上記実施形態の電子レンチによると、プロセッサは、作業動作値及び少なくとも１つのプロンプト上限値を更に含んでよい。プロンプト下限値は作業動作値の２０％であってもよい。感知情報値がプロンプト下限値よりも大きく且つプロンプト上限値よりも小さい場合、作動状態プロンプトは数値プロンプト又は別の非数値プロンプトであってよいが、感知情報値がプロンプト上限値以上である場合、作動状態プロンプトは別の数値プロンプト又は別の非数値プロンプトであってよい。
【０００７】
上記実施形態の電子レンチによると、プロンプト上限値及びプロンプト下限値は、ユーザによって設定可能である。
【０００８】
本発明一方法態様の一実施形態によれば、電子レンチのワークヘッドをワークに操作する工程と、少なくとも１つの感知素子によってワークヘッドの作動状態を感知し、少なくとも１つの感知情報値を含む感知信号を発生させる工程と、感知情報値とプロンプト下限値とを比較し、感知情報値がプロンプト下限値以下である場合、非数値プロンプトである作動状態プロンプトを提供する工程と、を備える電子レンチのプロンプト方法を提供する。
【０００９】
上記実施形態の電子レンチのプロンプト方法によると、作業動作値を提供する工程を更に備えてよく、プロンプト下限値は作業動作値の２０％以下であってよい。
【００１０】
上記実施形態の電子レンチのプロンプト方法によると、感知情報値と少なくとも１つのプロンプト上限値とを比較することを更に備えてよく、感知情報値がプロンプト下限値よりも大きく且つプロンプト上限値よりも小さい場合、作動状態プロンプトは数値プロンプト又は別の非数値プロンプトであってよいが、感知情報値がプロンプト上限値以上である場合、作動状態プロンプトは別の数値プロンプト又は別の非数値プロンプトであってよい。
【００１１】
上記実施形態の電子レンチのプロンプト方法によると、プロンプト上限値及びプロンプト下限値は、ユーザによって設定可能である。
【図面の簡単な説明】
【００１２】
【図１】本発明の一態様の一実施形態による電子レンチを示すブロック模式図である。
【図２】本発明の別の態様の一実施形態による電子レンチのプロンプト方法の工程フロー図である。
【図３】本発明の図１の実施形態による電子レンチの液晶ディスプレイによる非数値プロンプトを示す模式図である。
【発明を実施するための形態】
【００１３】
図１は、本発明の一態様の一実施形態による電子レンチ１００を示すブロック模式図である。図１から分かるように、電子レンチ１００は、本体１１０、少なくとも１つの感知素子１３０、プロセッサ１６０及び少なくとも１つのプロンプトユニット１４０を含む。少なくとも１つの感知素子１３０が本体１１０に設けられる。プロセッサ１６０が感知素子１３０に電気的に接続される。少なくとも１つのプロンプトユニット１４０がプロセッサ１６０に電気的に接続される。
【００１４】
詳しく言えば、本体１１０はワークヘッド１２０を含む。感知素子１３０は、ワークヘッド１２０の作動状態を感知し、感知情報値を含んでよい感知信号を発生させることに用いられてよい。プロセッサ１６０は、少なくとも１つのプロンプト下限値を含んでよく、且つ感知情報値とプロンプト下限値とを比較することに用いられてよい。プロンプトユニット１４０は、ユーザにワークヘッド１２０の作動状態を指示するための作動状態プロンプトを発生させることに用いられてよい。感知情報値がプロンプト下限値以下である場合、作動状態プロンプトは非数値プロンプトである。これにより、電子レンチ１００はユーザ作業前段プロンプトを提供することができる。関連法規規定に合致する前提で、ユーザ作業前段プロンプトの機能によって、ユーザは電子レンチ１００が感知の正確度の保証されない区間で作業する場合、電子レンチ１００が数値プロンプトを提供できないことでワークヘッド１２０の作動状態が分からないことを避けることができる。
【００１５】
電子レンチ１００の選択機能をユーザに提供するために、電子レンチ１００は、プロセッサ１６０に電気的に接続される少なくとも１つの入力素子１５０を更に含んでよい。入力素子１５０は、物理的なボタン又はタッチボタンであってよい。具体的に、図１の実施形態において、入力素子１５０は、システムファンクションボタン１５１及び感知ファンクションボタン１５２を含んでよい。ユーザは、システムファンクションボタン１５１によって、電源オン、電源オフ、スタンバイ、リセット等の状態のような電子レンチ１００の実行機能を選択することができる。システムファンクションボタン１５１は、ワンボタンであってよく、又は異なる機能によって電源オンボタン（未図示）、電源オフボタン（未図示）、スタンバイボタン（未図示）又はリセットボタン（未図示）のような複数のボタンを設けてよい。ユーザが電源オフボタンを押すと、プロセッサ１６０は電子レンチ１００の全ての電力を切断して、電源オフ状態になるが、ユーザがスタンバイボタンを押すと、プロセッサ１６０は電子レンチ１００の一部の電力を切断して、スタンバイ状態になるが、またユーザがリセットボタンを押すと、プロセッサ１６０は初期化されて、初期状態に戻る。ユーザは感知ファンクションボタン１５２によって電子レンチ１００の感知機能を選択することができる。それにより、電子レンチ１００は、ハードウェア周辺回路の感知を実行し、角度感知又はトルク感知等の感知機能を実行することができる。感知ファンクションボタン１５２は、ワンボタンであってよく、又は角度感知ボタン（未図示）又はトルク感知ボタン（未図示）のような異なる機能によって複数のボタンを設けてよい。ユーザが角度感知ボタンを押すと、感知素子１３０はワークヘッド１２０に対して角度感知を行って、感知信号を発生させるが、ユーザがトルク感知ボタンを押すと、感知素子１３０はワークヘッド１２０に対してトルク感知を行って、感知信号を発生させる。
【００１６】
感知素子１３０は、少なくとも角度感知素子１３１又はトルク感知素子１３２を含んでよい。少なくとも１つの感知情報値は、少なくとも感知角度値又は感知トルク値であってよい。具体的に、図１の実施形態において、感知素子１３０は角度感知素子１３１及びトルク感知素子１３２を含み、即ち電子レンチ１００は角度感知及びトルク感知を提供することができる。
【００１７】
電子レンチ１００は、プロセッサ１６０及び感知素子１３０に電気的に接続される信号処理モジュール１７０を更に含んでよい。信号処理モジュール１７０は、感知素子１３０からの感知信号を受信し信号処理を行って、また処理された感知信号をプロセッサ１６０に伝送する。感知信号はアナログ感知信号又はデジタル感知信号であってよく、信号処理モジュール１７０は信号変換器１７１及び増幅器（未図示）を含んでよい。つまり、感知信号は、アナログ感知信号である場合、まず信号変換器１７１によってアナログ感知信号をデジタル感知信号に転換して、またプロセッサ１６０に伝送し、或いはまず増幅器によって増幅処理を行って、また信号変換器１７１によってアナログ感知信号をデジタル感知信号に転換して、プロセッサ１６０に伝送してよい。
【００１８】
図３に合わせて参照されたい。図３は、本発明の図１の実施形態による電子レンチ１００の液晶ディスプレイによる非数値プロンプトを示す模式図である。プロセッサ１６０は、少なくとも１つのプロンプト上限値及び作業動作値を更に含んでよい。作業動作値は、電子レンチ１００の耐えられる最大トルク値又は最大角度値であってよい。プロンプト下限値は、作業動作値の２０％であってもよく、ユーザによって設定可能である。つまり、プロンプト下限値は作業動作値の２０％、作業動作値の１０％又は作業動作値の５％であってよく、プロンプト上限値は作業動作値に等しい又はユーザによって設定可能である。ユーザは、入力素子１５０によってプロンプト上限値及びプロンプト下限値を設けてよい。設定の方法としては、入力素子１５０を繰り返して押してよい。また、プロセッサ１６０は感知情報値とプロンプト上限値とを比較することに用いられてよい。感知情報値がプロンプト下限値よりも大きく且つプロンプト上限値よりも小さい場合、作動状態プロンプトは数値プロンプト又は別の非数値プロンプトであるが、感知情報値がプロンプト上限値以上である場合、作動状態プロンプトは別の数値プロンプト又は別の非数値プロンプトである。プロンプトユニット１４０は、少なくとも液晶ディスプレイ１４１、発光ダイオード１４２、音声プロンプトユニット１４３及び振動プロンプトユニット１４４を含んでよい。数値プロンプトは、液晶ディスプレイによるデジタルコンスタントプロンプト又は液晶ディスプレイによるデジタル点滅プロンプトであってよい。つまり、ユーザに異なる数値プロンプトを提供するように、液晶ディスプレイ１４１により表示されるデジタルを点滅させなくても、点滅させてもよい。非数値プロンプトは液晶ディスプレイによる非数値プロンプト、発光プロンプト、音声プロンプト又は振動プロンプトであってよく、発光プロンプトが発光ダイオードによるコンスタントプロンプト及び発光ダイオード点滅プロンプトであってよい。注意すべきなのは、発光プロンプトは異なる光の色又は異なる点滅頻度によって異なり、音声プロンプトは異なる音声又は音量によって異なり、振動プロンプトは異なる振動頻度又は振動強度によって異なる。注意すべきなのは、ユーザは入力素子１５０によってその所望の作動状態プロンプトを選択することができる。つまり、電子レンチ１００は、ユーザによって選択されるように、多種類の作動状態プロンプトを提供することができ、ユーザはその好みによって設定してよい。簡単に言えば、プロンプト下限値及びプロンプト上限値は、ユーザの好みによって設定されてよい。作業動作値が１００Ｎであり、且つユーザがプロンプト下限値を作業動作値の１０％に設定し、プロンプト上限値が作業動作値に等しい場合、プロンプトユニット１４０は、感知情報値が１０Ｎに未満である時に非数値プロンプトの形態でユーザに指示する。非数値プロンプトは、図３に示すように、液晶ディスプレイによる非数値プロンプトであってよく、液晶ディスプレイによる非数値プロンプトは、液晶ディスプレイ１４１による上下に揺れ動くレンチの表示であってよい。感知情報値が１０Ｎよりも大きく且つ１００Ｎよりも小さい場合、プロンプトユニット１４０は、数値プロンプト又は別の非数値プロンプトを提供することができる。数値プロンプトは液晶ディスプレイによるデジタルコンスタントプロンプトであってよく、別の非数値プロンプトは発光ダイオードによる緑色光コンスタントプロンプトであってよい。感知情報値が１００Ｎ以上である場合、プロンプトユニット１４０は、別の数値プロンプト又は別の非数値プロンプトを提供することができる。別の数値プロンプトは液晶ディスプレイによるデジタル点滅プロンプトであってよく、別の非数値プロンプトは振動プロンプトであってよい。
【００１９】
プロセッサ１６０は、メモリ１６１を更に含んでよい。メモリ１６１は、電子レンチ１００が作業完了後に作動状態プロンプトを維持できるように、少なくとも１つの感知情報値及び少なくとも１つのプロンプト下限値を記憶することに用いられてよい。
【００２０】
図２を参照されたい。図２は、本発明の別の態様の一実施形態による電子レンチのプロンプト方法ｓ２００の工程フロー図である。電子レンチのプロンプト方法ｓ２００は、上記図１の実施形態の電子レンチ１００に合わせて実行されてよいが、それに限定されない。図２から分かるように、電子レンチのプロンプト方法ｓ２００は、以下の工程を含んでよい。工程ｓ２１０では、電子レンチ１００のワークヘッド１２０をワークに操作する。工程ｓ２２０では、少なくとも１つの感知素子１３０によってワークヘッド１２０の作動状態を感知し、少なくとも１つの感知情報値を含む感知信号を発生させてよい。なお、工程ｓ２３０では、感知情報値とプロンプト下限値とを比較し、感知情報値がプロンプト下限値以下である場合、非数値プロンプトである作動状態プロンプトを提供する。詳しく言えば、電子レンチ１００のワークヘッド１２０がワークに操作される場合、少なくとも１つの感知素子１３０は、ワークヘッド１２０の作動状態を感知し感知信号を発生させて、また感知信号をプロセッサ１６０に伝送する。感知信号は、少なくとも１つの感知情報値を含んでよい。プロセッサ１６０は、少なくとも１つのプロンプト下限値を含んでよい。プロセッサ１６０は、感知信号を受信した後で、感知情報値とプロンプト下限値の数値の大きさとを比較して比較結果を生じる。プロンプトユニット１４０は、比較結果に基づいて作動状態プロンプトを発生させて、ユーザにワークヘッド１２０の作動状態を指示し、比較結果として感知情報値がプロンプト下限値に達していない場合、非数値プロンプトを提供する。これにより、電子レンチ１００が感知の正確度の保証されない区間で作業する場合、ユーザがワークヘッド１２０の作動状態を知ることができないことを避けるために、ユーザに作業前段プロンプトを提供する。
【００２１】
少なくとも１つの感知素子１３０は、少なくとも角度感知素子１３１又はトルク感知素子１３２を含んでよい。感知情報値は、感知角度値又は感知トルク値であってよい。プロセッサ１６０は、対応してそれぞれ角度プロンプト下限値及びトルクプロンプト下限値である少なくとも２つのプロンプト下限値を含んでよい。プロセッサ１６０は、角度プロンプト下限値と感知角度値とを比較し或いはトルクプロンプト下限値と感知トルク値とを比較して、比較結果を生じることができる。
【００２２】
また、感知信号がアナログ感知信号である場合、信号変換器１７１によってアナログ感知信号をデジタル感知信号に転換して、プロセッサ１６０に伝送し、或いは感知信号に対してまず増幅器によって増幅処理を行って、増幅処理された感知信号に対して信号変換器１７１によってアナログ感知信号をデジタル感知信号に転換してから、プロセッサ１６０に伝送してよい。
【００２３】
なお、本発明の電子レンチのプロンプト方法ｓ２００は、感知情報値とプロンプト下限値とを比較する工程に加えて、感知情報値とプロンプト上限値とを比較する工程ｓ２４０を更に含んでよい。プロンプト上限値は、作業動作値に等しく又はユーザによって設定可能であり、且つプロンプト下限値は作業動作値の２０％であり且つユーザによって設定可能である。つまり、プロンプト下限値は作業動作値の２０％、作業動作値の１０％又は作業動作値の５％であってよい。注意すべきなのは、作業動作値は電子レンチ１００の耐えられる最大トルク値又は最大角度値であってよく、且つユーザは入力素子１５０を繰り返して押すことでプロンプト上限値及びプロンプト下限値を設定することができる。感知情報値がプロンプト下限値よりも大きく且つプロンプト上限値よりも小さい場合、作動状態プロンプトは数値プロンプト又は別の非数値プロンプトであるが、感知情報値がプロンプト上限値以上である場合、作動状態プロンプトは別の数値プロンプト又は別の非数値プロンプトである。
【００２４】
詳しく言えば、プロセッサ１６０は、プロンプト上限値及び作業動作値を更に含んでよいので、感知情報値とプロンプト上限値の数値の大きさとを比較し比較結果を生じることができる。プロンプトユニット１４０が比較結果の差によって異なる作動状態プロンプトを提供することができるので、ユーザは、異なる作動状態プロンプトによってワークヘッド１２０の作動状態を判断することができる。また、ユーザがワークヘッド１２０の作動状態を容易に知ることができるために、作動状態プロンプトは、少なくとも１つのプロンプトユニット１４０によって提供されてよい。プロンプトユニット１４０は、液晶ディスプレイ１４１、発光ダイオード１４２、音声プロンプトユニット１４３又は振動プロンプトユニット１４４であってよい。液晶ディスプレイ１４１は、数値プロンプト及び非数値プロンプトを提供することに用いられてよい。数値プロンプトは、液晶ディスプレイによるデジタルコンスタントプロンプト又は液晶ディスプレイによるデジタル点滅プロンプトであってよい。つまり、ユーザに異なる数値プロンプトを提供するように、数値プロンプトは、液晶ディスプレイ１４１により表示されるデジタルを点滅させなくても、点滅させてもよい。発光ダイオード１４２、音声プロンプトユニット１４３及び振動プロンプトユニット１４４が非数値プロンプトを提供することができるので、非数値プロンプトは、液晶ディスプレイによる非数値プロンプト、発光プロンプト、音声プロンプト又は振動プロンプトであってよい。発光プロンプトは、発光ダイオードによるコンスタントプロンプト及び発光ダイオード点滅プロンプトであってよい。
【００２５】
なお、本発明の電子レンチのプロンプト方法ｓ２００は、少なくとも１つの感知情報値及びプロンプト下限値を記憶する工程ｓ２５０を更に含んでよい。従って、ユーザは、選択的に作動状態プロンプトをしばらく持続させることができる。
【００２６】
以上をまとめると、本発明の電子レンチ１００及び電子レンチのプロンプト方法ｓ２００のメリットは、プロセッサ１６０が感知情報値と、プロンプト下限値及びプロンプト上限値とを比較することに用いられることができることにある。感知情報値がプロンプト下限値よりも小さい場合、作動状態プロンプトは非数値プロンプトであるが、感知情報値がプロンプト下限値よりも大きく且つプロンプト上限値よりも小さい場合、作動状態プロンプトは数値プロンプト又は別の非数値プロンプトであるが、また感知情報値がプロンプト上限値以上である場合、作動状態プロンプトは別の数値プロンプト又は別の非数値プロンプトである。つまり、電子レンチ１００は、感知情報値とプロンプト下限値及びプロンプト上限値との間の関係の差異によって、異なる作動状態プロンプトを有するようになり、ユーザに指示することができる。
【００２７】
本発明を実施形態で前記の通りに開示したが、これは、本発明を制限するものではなく、業者であれば、本発明の思想と範囲から逸脱しない限り、多様の変更や修正を加えることができるので、本発明の保護範囲は、下記添付の特許請求の範囲で指定した内容を基準とするものである。
【符号の説明】
【００２８】
１００：電子レンチ
１１０：本体
１２０：ワークヘッド
１３０：感知素子
１３１：角度感知素子
１３２：トルク感知素子
１４０：プロンプトユニット
１４１：液晶ディスプレイ
１４２：発光ダイオード
１４３：音声プロンプトユニット
１４４：振動プロンプトユニット
１５０：入力素子
１５１：システムファンクションボタン
１５２：感知ファンクションボタン
１６０：プロセッサ
１６１：メモリ
１７０：信号処理モジュール
１７１：信号変換器
【図１】
2020082343.tif 000003
【図２】
2020082343.tif 000004
【図３】
2020082343.tif 000005